(57)【要約】【課題】エラー耐性を適切に維持しつつ、高い伝送効率を実現することができるデータ送信装置及びデータ受信装置を提供する。【解決手段】データ送信装置は、入力データを予め決められた複数段階の優先度のデータに分類し、これらデータの各々を各信頼度のサブキャリアに乗せて、データ送信を行う際に、複数のサブキャリアの内のｎ番目に高い信頼度を持つサブキャリアに、一次変調処理を施されたデータの内のｎ番目に優先度が高いデータを乗せて、データ送信を行う。データ受信装置は、送信側と同じサブキャリアの信頼度情報を共有し、複数段階の優先度のデータにデータを取得した後、結合して受信データを生成する。【選択図】図６
2013128236.tif 000002
【特許請求の範囲】
【請求項１】
入力データを予め決められた複数段階の優先度ごとに分類し、該分類によって得られた複数段階の優先度のデータを出力するデータ分類部と、
データ変調部と、
複数のサブキャリアの各々の信頼度情報を受け取り、前記データ分類部及び前記データ変調部を制御する送信用制御部と
を有し、
前記データ変調部は、
前記複数段階の優先度のデータに一次変調処理を施す一次変調部と、
前記複数のサブキャリアの各々の信頼度情報を用いて、前記複数のサブキャリアの内のｎ番目（ｎは所定数以下の正の整数）に高い信頼度を持つサブキャリアに、前記一次変調処理が施された前記複数段階の優先度のデータの内のｎ番目に高い優先度のデータを乗せて、データ送信を行う二次変調部と
を含む
ことを特徴とするデータ送信装置。
【請求項２】
前記データ変調部は、
前記データ分類部から出力された前記複数段階の優先度のデータに対して、前記送信用制御部が指定する伝送路符号化を施す伝送路符号化部と、
前前記データ分類部から出力された前記複数段階の優先度のデータ又は前記伝送路符号化部によって伝送路符号化が施された前記複数段階の優先度のデータのいずれかを選択的に前記一次変調部に供給する送信用セレクタと
をさらに含む
ことを特徴とする請求項１に記載のデータ送信装置。
【請求項３】
前記データ変調部は、前記ｎ番目に高い優先度のデータの内に、前記ｎ番目に高い信頼度を持つサブキャリアに乗せることができなかった残りの部分があり、（ｎ＋１）番目に高い信頼度を持つサブキャリアにデータを乗せることができる空きがある場合には、前記残りの部分を前記（ｎ＋１）番目に高い信頼度を持つサブキャリアに乗せることを特徴とする請求項１又は２に記載のデータ送信装置。
【請求項４】
前記データ変調部は、前記（ｎ＋１）番目に高い優先度のデータの内に、前記（ｎ＋１）番目に高い信頼度を持つサブキャリアに乗せることができなかった残り部分があり、前記ｎ番目に高い信頼度を持つサブキャリアにデータを乗せることができる空きがある場合には、前記残りのデータを前記ｎ番目に高い信頼度を持つサブキャリアに乗せることを特徴とする請求項１又は２に記載のデータ送信装置。
【請求項５】
前記優先度の段階数と前記信頼度の段階数とは等しいことを特徴とする請求項１から４までのいずれか１項に記載のデータ送信装置。
【請求項６】
前記データ分類部は、前記入力データの各々のデータ長が異なる場合に、前記入力データのデータ長を示す長さ情報を含む追加のデータを生成し、
前記データ変調部は、前記追加のデータを前記複数のサブキャリアの内の最も高い信頼度を持つサブキャリアに乗せて、データ送信を行う
ことを特徴とする請求項１から５までのいずれか１項に記載のデータ送信装置。
【請求項７】
前記データ分類部は、前記入力データの各々のデータ長が、前記優先度の段階数で割り切れず、余りが生じる場合に、前記余りを示す情報を含む追加のデータを生成し、
前記データ変調部は、前記追加のデータを前記複数のサブキャリアの内の最も高い信頼度を持つサブキャリアに乗せて、データ送信を行う
ことを特徴とする請求項１から５までのいずれか１項に記載のデータ送信装置。
【請求項８】
前記データ変調部は、複数のサブキャリアを含む第１の伝送単位に、前記複数段階の優先度のデータを、端数を生じさせずに、配置することができなかった場合には、前記第１の伝送単位の最後に乗せられることができなかった前記複数段階の優先度のデータの端数を、複数のサブキャリアを含む第２の伝送単位に乗せると共に、前記端数に関する情報を、前記第２の伝送単位の最も高い信頼度を持つサブキャリアの先頭に乗せることを特徴とする請求項１から５までのいずれか１項に記載のデータ送信装置。
【請求項９】
請求項１のデータ送信装置から伝送単位ごとに送信されたデータを受信するデータ受信装置であって、
前記データ送信装置が受け取る複数のサブキャリアの各々の信頼度情報と同じ情報を保有する受信用制御部と、
前記伝送単位に含まれる複数のサブキャリアの二次変調を復調することによって、前記複数段階の優先度のデータに対応する複数段階の優先度の復調データを生成するデータ復調部と、
前記データ復調部で生成された前記複数段階の優先度の復調データを統合して受信データを生成するデータ統合部と
を有することを特徴とするデータ受信装置。
【請求項１０】
請求項２のデータ送信装置から伝送単位ごとに送信されたデータを受信するデータ受信装置であって、
前記データ送信装置が受け取る複数のサブキャリアの各々の信頼度情報と同じ情報を保有する受信用制御部と、
前記伝送単位に含まれる複数のサブキャリアの二次変調を復調することによって、前記複数段階の優先度のデータに対応する複数段階の優先度の復調データを生成するデータ復調部と、
前記データ復調部で生成された前記複数段階の優先度の復調データを統合して受信データを生成するデータ統合部と
を有し、
前記データ復調部は、
前記データ送信装置の伝送単位のデータを構成するサブキャリアの二次変調を復調する二次変調復調部と、
前記二次変調復調部から出力されるサブキャリアの一次変調を復調すると共に、各サブキャリアの受信電力を検出する一次変調復調部と、
前記一次変調復調部から出力されたデータから、前記複数段階の優先度のデータに対応するデータを生成し、また、前記サブキャリアの受信電力と前記優先度ごとに集約して結合した受信データを対応させた受信電力情報を生成するデータ結合部と
前記複数段階の優先度ごとに集約して結合した受信データに対して、前記データ送信装置が指定する伝送路符号化と同等の伝送路復号化を行う伝送路符号化復号部と、
前記伝送路符号化復号部からの出力データ又は前記データ結合部からの出力データのいずれかを選択的に出力する受信用セレクタと
を含むことを特徴とするデータ受信装置。
【請求項１１】
請求項３のデータ送信装置から伝送単位ごとに送信されたデータを受信するデータ受信装置であって、
前記データ送信装置が受け取る複数のサブキャリアの各々の信頼度情報と同じ情報を保有する受信用制御部と、
前記伝送単位に含まれる複数のサブキャリアの二次変調を復調することによって、前記複数段階の優先度のデータに対応する複数段階の優先度の復調データを生成するデータ復調部と、
前記データ復調部で生成された前記複数段階の優先度の復調データを統合して受信データを生成するデータ統合部と
を有し、
前記ｎ番目の優先度のデータが、（ｎ＋１）番目の信頼度を持つサブキャリアに乗せられた場合は、（ｎ＋１）番目の信頼度を持つサブキャリアから前記ｎ番目の優先度のデータを集約して結合した受信データを生成することを特徴とするデータ受信装置。
【請求項１２】
請求項４のデータ送信装置から伝送単位ごとに送信されたデータを受信するデータ受信装置であって、
前記データ送信装置が受け取る複数のサブキャリアの各々の信頼度情報と同じ情報を保有する受信用制御部と、
前記伝送単位に含まれる複数のサブキャリアの二次変調を復調することによって、前記複数段階の優先度のデータに対応する複数段階の優先度の復調データを生成するデータ復調部と、
前記データ復調部で生成された前記複数段階の優先度の復調データを統合して受信データを生成するデータ統合部と
を有し、
前記ｎ番目の優先度のデータが、（ｎ−１）番目の信頼度を持つサブキャリアに乗せられた場合は、（ｎ−１）番目の信頼度を持つサブキャリアから前記ｎ番目の優先度のデータを集約して結合した受信データを生成することを特徴とするデータ受信装置。
【請求項１３】
請求項６のデータ送信装置から伝送単位ごとに送信されたデータを受信するデータ受信装置であって、
前記データ送信装置が受け取る複数のサブキャリアの各々の信頼度情報と同じ情報を保有する受信用制御部と、
前記伝送単位に含まれる複数のサブキャリアの二次変調を復調することによって、前記複数段階の優先度のデータに対応する複数段階の優先度の復調データを生成するデータ復調部と、
前記データ復調部で生成された前記複数段階の優先度の復調データを統合して受信データを生成するデータ統合部と
を有し、
前記データ送信装置からの送信データが前記長さ情報を含む場合には、サブキャリアに含まれる受信データの前記長さ情報を参照することによって、各々の受信データの区切り位置を知る
ことを特徴とするデータ受信装置。
【請求項１４】
請求項７のデータ送信装置から伝送単位ごとに送信されたデータを受信するデータ受信装置であって、
前記データ送信装置が受け取る複数のサブキャリアの各々の信頼度情報と同じ情報を保有する受信用制御部と、
前記伝送単位に含まれる複数のサブキャリアの二次変調を復調することによって、前記複数段階の優先度のデータに対応する複数段階の優先度の復調データを生成するデータ復調部と、
前記データ復調部で生成された前記複数段階の優先度の復調データを統合して受信データを生成するデータ統合部と
を有し、
前記データ送信装置からの送信データが前記長さ情報を含む場合には、サブキャリアに含まれる受信データの前記長さ情報を参照することによって、各々の受信データの区切り位置を知る
ことを特徴とするデータ受信装置。
【請求項１５】
請求項８のデータ送信装置から伝送単位ごとに送信されたデータを受信するデータ受信装置であって、
前記データ送信装置が受け取る複数のサブキャリアの各々の信頼度情報と同じ情報を保有する受信用制御部と、
前記伝送単位に含まれる複数のサブキャリアの二次変調を復調することによって、前記複数段階の優先度のデータに対応する複数段階の優先度の復調データを生成するデータ復調部と、
前記データ復調部で生成された前記複数段階の優先度の復調データを統合して受信データを生成するデータ統合部と
を有し、
前記データ復調部は、前記データ送信装置から受信データを得る場合は、連続する２つの伝送単位のうち、第２の伝送単位のサブキャリアに含まれる端数情報を参照し、２つの連続する伝送路データに分断された受信データをつなげることで、前記優先度分類ごとに集約して結合した受信データを生成する
ことを特徴とするデータ受信装置。
【請求項１６】
請求項１に記載のデータ送信装置と、
請求項９に記載のデータ受信装置と、
前記データ送信装置及び前記データ受信装置の両方を制御する送受信用制御部と
を有することを特徴とするデータ送受信装置。
【請求項１７】
請求項１６に記載のデータ送受信装置の構成を有し、マスター装置として動作する第１のデータ送受信装置と、
請求項１６に記載のデータ送受信装置の構成を有し、前記第１のデータ送受信装置と通信可能に接続され、スレーブ装置として動作する第２のデータ送受信装置と、
前記マスターのデータ送受信装置の送受信用制御部が伝送単位のサブキャリアの受信電力を監視し、現在設定されているサブキャリアの信頼度情報と乖離した場合、前記スレーブのデータ送受信装置の送受信用制御部に前記サブキャリアの信頼度情報の更新を通知し、
前記サブキャリアの信頼度情報の更新を通知された前記スレーブのデータ送受信装置の送受信用制御部は、前記サブキャリアの信頼度情報の更新の完了を前記マスターのデータ送受信装置の送受信用制御部に通知するとともに、前記更新されたサブキャリアの信頼度情報により動作を開始し、
前記マスターのデータ送受信装置の送受信用制御部は、前記サブキャリアの信頼度情報の更新の完了を前記スレーブのデータ送受信装置の送受信用制御部より通知されたならば、前記更新されたサブキャリアの信頼度情報により動作を開始する
ことを特徴とするデータ送受信システム。
【発明の詳細な説明】
【技術分野】
【０００１】
本発明は、データ送信装置、データ受信装置、データ送受信装置、及びデータ送受信システムに関する。
【背景技術】
【０００２】
マルチキャリア伝送方式として、周波数分割多重（ＦＤＭ（Ｆｒｅｑｕｅｎｃｙ  Ｄｉｖｉｓｉｏｎ  Ｍｕｌｔｉｐｌｅｘｉｎｇ）変調方式及び直交周波数分割多重（ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ））変調方式が知られている。これらの方式では、異なる周波数を持つ複数のサブキャリアが重畳して伝送される。特に、ＯＦＤＭ変調方式は、各サブキャリアが直交性を維持するので周波数利用効率が高く、また、送信信号にガードインターバルを付加できるので遅延波や反射波が発生する伝送路においてもエラー耐性に優れている。このため、ＯＦＤＭ変調方式は、日本を含む多くの国のデジタルテレビ放送に採用されている。
【０００３】
ＯＦＤＭ変調は、マルチキャリア伝送においては二次変調に相当し、その伝送単位であるサブキャリアの集合をＯＦＤＭシンボルと呼ぶ。ＯＦＤＭシンボルの各サブキャリアは、ＯＦＤＭ変調の前段階として一次変調がなされている。一般に、一次変調には、ＰＳＫ（Ｐｈａｓｅ−Ｓｈｉｆｔ  Ｋｅｙｉｎｇ）変調又はＱＡＭ（Ｑｕａｄｒａｔｕｒｅ  Ａｍｐｌｉｔｕｄｅ  Ｍｏｄｕｌａｔｉｏｎ）変調が用いられる。なお、ＱＡＭ変調は、複数ビットのデータを１つのサブキャリアに乗せる多値変調である。
【０００４】
さらに、マルチキャリア伝送においては、一般に、伝送路で発生するエラーに対応するために、畳み込み符号やリードソロモン符号等を用いた伝送路符号化（ＦＥＣ（Ｆｏｒｗａｒｄ  Ｅｒｒｏｒ  Ｃｏｒｒｅｃｔｉｏｎ））処理も行われている。伝送路符号化処理では、データの冗長度（符号化率）を増加させることによって、エラーに対して強固な訂正が可能となる。
【０００５】
ところで、特許文献１は、送信データを重要度の高いものと低いものに分け、重要度の高い送信データに対しては、符号化率を小さくし、あるいは、１信号当たりの情報量が少ない多値変調方法を適用し、重要度の低い送信データに対しては、符号化率を大きくし、あるいは、１信号当たりの情報量が多い多値変調方法を適用する、方法を記載している。この方法によれば、例えば、デジタル形式で伝送されるテレビ信号の受信装置において、受信信号レベルが高い場合に、良好なテレビ映像及び音声を提供することができるだけでなく、受信信号レベルが低い場合にも、ある程度良好な品質のテレビ映像及び音声を提供することができる。このように、特許文献１は、重要度の高い送信データに対して、符号化率を小さくする方法、あるいは、１信号当たりの情報量が少ない多値変調方法を適用している。
【先行技術文献】
【特許文献】
【０００６】
【特許文献１】国際公開第９６／０７２６０号
【発明の概要】
【発明が解決しようとする課題】
【０００７】
しかしながら、特許文献１に記載の方法では、重要度の高い送信データに対して、送信データの伝送効率（伝送レート）を低くすることで伝送路エラーに対する耐性（エラー耐性）を高めているので、伝送路状況が良好な場合であっても送信データが過度なエラー耐性を持ち続ける状況が生じ、その結果、伝送効率が過度に低くなるという問題がある。
【０００８】
そこで、本発明の目的は、エラー耐性を適切に維持しつつ、高い伝送効率を実現することができるデータ送信装置、データ受信装置、及びデータ送受信装置を提供することである。
【課題を解決するための手段】
【０００９】
本発明の一態様に係るデータ送信装置は、入力データを予め決められた複数段階の優先度ごとに分類し、該分類によって得られた複数段階の優先度のデータを出力するデータ分類部と、データ変調部と、複数のサブキャリアの各々の信頼度情報を受け取り、前記データ分類部及び前記データ変調部を制御する送信用制御部とを有し、前記データ変調部は、前記複数段階の優先度のデータに一次変調処理を施す一次変調部と、前記複数のサブキャリアの各々の信頼度情報を用いて、前記複数のサブキャリアの内のｎ番目（ｎは所定数以下の正の整数）に高い信頼度を持つサブキャリアに、前記一次変調処理が施された前記複数段階の優先度のデータの内のｎ番目に高い優先度のデータを乗せて、データ送信を行う二次変調部とを含むことを特徴とする。
【００１０】
本発明の一態様に係るデータ受信装置は、上記データ送信装置から伝送単位ごとに送信されたデータを受信するデータ受信装置であって、前記データ送信装置が受け取る複数のサブキャリアの各々の信頼度情報と同じ情報を保有する受信用制御部と、前記伝送単位に含まれる複数のサブキャリアの二次変調を復調することによって、前記複数段階の優先度のデータに対応する複数段階の優先度の復調データを生成するデータ復調部と、前記データ復調部で生成された前記複数段階の優先度の復調データを統合して受信データを生成するデータ統合部とを有することを特徴とする。
【００１１】
本発明の一態様に係るデータ送受信装置は、上記データ送信装置と、上記データ受信装置と、これらデータ送信装置及びデータ受信装置の両方を制御する送受信用制御部とを有することを特徴とする。
【発明の効果】
【００１２】
本発明のデータ送信装置、データ受信装置、データ送受信装置、及びデータ送受信システムを用いれば、エラー耐性を適切に維持しつつ、高い伝送効率を実現することができるという効果がある。
【図面の簡単な説明】
【００１３】
【図１】本発明の実施の形態１に係るデータ送信装置の構成を概略的に示すブロック図である。
【図２】（ａ）及び（ｂ）は、実施の形態１に係るデータ送信装置に入力される送信データの構造及び複数段階の優先度のデータに分類されたデータの構造を概念的に示す図である。
【図３】図１に示されるデータ変調部の構成を概略的に示すブロック図である。
【図４】（ａ）及び（ｂ）は、実施の形態１に係るデータ送信装置に入力される送信データの構造及び複数段階の優先度のデータに分類されたデータの構造を概念的に示す図である。
【図５】１ＯＦＤＭシンボル（伝送単位）サブキャリアの信頼度情報の一例を示す図である。
【図６】１ＯＦＤＭシンボル（伝送単位）を構成するサブキャリアに、優先度分類されたデータを乗せる処理を概念的に示す図である。
【図７】（ａ）及び（ｂ）は、実施の形態１に係るデータ送信装置に入力される送信データの構造（入力データの長さが一定ではない場合）及び複数段階の優先度のデータに分類されたデータの構造を概念的に示す図である。
【図８】（ａ）及び（ｂ）は、実施の形態１に係るデータ送信装置に入力される送信データの構造（入力データの長さが優先度の段階数で割り切れない場合）及び複数段階の優先度のデータに分類されたデータの構造を概念的に示す図である。
【図９】１ＯＦＤＭシンボル（伝送単位）を構成するサブキャリアに、端数情報及び優先度分類されたデータを乗せる処理を概念的に示す図である。
【図１０】本発明の実施の形態１に係るデータ受信装置の構成を概略的に示すブロック図である。
【図１１】図１０に示されるデータ復調部の構成を概略的に示すブロック図である。
【図１２】本発明の実施の形態２に係るデータ送受信装置の構成を概略的に示すブロック図である。
【００１４】
《１》実施の形態１．
《１−１》データ送信装置の構成及び動作
《１−１−１》データ送信装置１１
図１は、実施の形態１に係るデータ送信装置１１の構成を概略的に示すブロック図である。図１に示されるように、データ送信装置１１は、優先度計算部（データ分類部）１２と、データ変調部１３と、データ送信装置１１の全体の動作を制御する送信用ＣＰＵ１４とを有する。なお、図１において、１５は、送信データが入力されるインタフェースを示し、１６は、送信データを伝送路に出力するためのインタフェース、１７は、信頼度情報などを受け取るためのインタフェースである。
【００１５】
優先度計算部（データ分類部）１２は、入力データ（例えば、ｄ番目のデータである「データ＃ｄ」）を、予め決められた複数段階の優先度のデータ、例えば、最も優先度の高い優先度Ａのデータ（「優先度Ａデータ」とも記す）、２番目に優先度の高い優先度Ｂのデータ（「優先度Ｂデータ」とも記す）、３番目に優先度の高い優先度Ｃのデータ（「優先度Ｃデータ」とも記す）などに分類する。データ変調部１３は、複数段階の優先度のデータの各々を複数のサブキャリア、例えば、最も高い信頼度を持つ信頼度Ａのサブキャリア（「信頼度Ａサブキャリア」とも記す）、２番目に高い信頼度を持つ信頼度Ｂのサブキャリア（「信頼度Ｂサブキャリア」とも記す）、３番目に高い信頼度を持つ信頼度Ｃのサブキャリア（「信頼度Ｃサブキャリア」とも記す）のいずれかに乗せて、データ送信を行う。送信用ＣＰＵ１４は、複数のサブキャリアの各々の信頼度情報を受け取り、優先度計算部１２及びデータ変調部１３を制御する。
【００１６】
データ変調部１３は、複数段階の優先度に分類されたデータに一次変調処理を施し、送信用制御部から供給された複数のサブキャリアの各々の信頼度情報を用いて、複数のサブキャリアの内のｎ番目（ｎは所定数以下の正の整数）に高い信頼度を持つサブキャリアに、一次変調処理を施されたデータの内のｎ番目に優先度が高い前記データを乗せて、データ送信を行う。
【００１７】
図１の例では、データ変調部１３は、３段階の優先度Ａ，Ｂ，Ｃに分類されたデータに一次変調処理を施し、送信用制御部から供給された複数のサブキャリアの各々の信頼度情報を用いて、複数のサブキャリアの内の最も高い信頼度を持つ（ｎ＝１）信頼度Ａサブキャリアに、一次変調処理を施されたデータの内の最も優先度が高いデータである優先度Ａデータを乗せて、複数のサブキャリアの内の２番目に高い信頼度を持つ（ｎ＝２）信頼度Ｂサブキャリアに、一次変調処理を施されたデータの内の２番目に優先度が高いデータである優先度Ｂデータを乗せて、複数のサブキャリアの内の３番目に高い信頼度を持つ（ｎ＝３）信頼度Ｃサブキャリアに、一次変調処理を施されたデータの内の３番目に優先度が高いデータである優先度Ｃデータを乗せて、データ送信を行う。
【００１８】
また、データ変調部１３は、ｎ番目に高い優先度のデータの内で、ｎ番目に高い信頼度を持つサブキャリアに乗せることができなかった残り部分があり、（ｎ＋１）番目に高い信頼度を持つサブキャリアに残り部分を乗せることができる空きがある場合には、残り部分のデータを（ｎ＋１）番目に高い信頼度を持つサブキャリアに乗せるように構成してもよい。
【００１９】
また、データ変調部１３は、（ｎ＋１）番目に高い優先度のデータの内で、（ｎ＋１）番目に高い信頼度を持つサブキャリアに乗せることができなかった残り部分があり、ｎ番目に高い信頼度を持つサブキャリアにデータを乗せることができる空きがある場合には、残り部分をｎ番目に高い信頼度を持つサブキャリアに乗せるように構成してもよい。
【００２０】
また、通常は、優先度の段階数Ｇと信頼度の段階数Ｇｒとは、等しく、図１の例では、Ｇ＝３である。
【００２１】
《１−１−２》優先度計算部（データ分類部）１２
図２（ａ）及び（ｂ）は、データ送信装置１１に入力される送信データの構造及び複数段階の優先度に分類されたデータの構造を概念的に示す図である。図２（ａ）及び（ｂ）において、横方向の長さはデータ長に対応する。優先度計算部１２は、送信用ＣＰＵ１４からの指令に基づいて、インタフェース１５を通して入力された送信データ（図２（ａ）の「データ＃（ｄ）」）を、優先度の段階数Ｇ個の優先度のデータ部分（図２（ｂ））に分類する。図２（ａ）において、横方向に長い矩形の部分である「データ＃（ｄ）」は、インタフェース１５を通して入力されるｄ番目のデータを示す。インタフェース１５を通して入力されるデータは、データ長Ｌ（ｄ）［ｂｉｔ］を１区切りのデータとして、データ送信装置１１が動作を開始してから順に入力される。本出願において、データ長Ｌ（ｄ）［ｂｉｔ］の１区切りのデータは、「データ＃（１）」、「データ＃（２）」、「データ＃（３）」、…、「データ＃（ｄ）」、…のように表記され、データ番号ｄ（ｄ＝１，２，３，…）の順に（すなわち、データ番号の昇順に）に入力される。
【００２２】
図２（ｂ）には、図２（ａ）の「データ＃（ｄ）」を優先度の段階数Ｇ個の優先度のデータ部分に分類した状況が示されている。優先度の段階数Ｇは、通常は、サブキャリアの信頼度の段階数Ｇｒと同じ値を持つ。優先度の段階数Ｇは、データ送信装置１１とデータ受信装置（後述の図１０の符号２１）との間の取り決めによって予め決められている。優先度の段階数Ｇは、２以上の整数であり、送信用ＣＰＵ１４によって与えられる。図２（ｂ）には、Ｇ＝３の場合が例示されている。図２（ａ）及び（ｂ）は、データ長Ｌ（ｄ）が、優先度の段階数Ｇで割り切れる場合を示す。また、図２（ａ）及び（ｂ）では、データ長Ｌ（ｄ）は、すべてのｄにおいて等しい場合、すなわち、データ長Ｌ（ｄ）が一定である場合を示す。なお、データ長Ｌ（ｄ）がｄによって異なる場合、及び、データ長Ｌ（ｄ）が優先度の段階数Ｇで割り切れない場合については、後述（図７（ａ）及び（ｂ）、図８（ａ）及び（ｂ））する。
【００２３】
図２（ａ）及び（ｂ）に示されるように、優先度計算部１２は、データ長Ｌ（ｄ）［ｂｉｔ］の１区切りのデータである「データ＃（ｄ）」を、データ長がＬ（ｄ）／Ｇ［ｂｉｔ］である優先度Ａデータ（「データ＃（ｄ）優先度Ａデータ」とも記す）と、データ長がＬ（ｄ）／Ｇ［ｂｉｔ］である優先度Ｂデータ（「データ＃（ｄ）優先度Ｂデータ」とも記す）と、データ長がＬ（ｄ）／Ｇ［ｂｉｔ］の優先度Ｃデータ（「データ＃（ｄ）優先度Ｃデータ」とも記す）とに分類する。ここで、優先度の順番（優先順位）は、高いほうから低い方に向かって、優先度Ａデータ、優先度Ｂデータ、優先度Ｃデータの順である。なお、優先度の段階数Ｇ（信頼度の段階数Ｇｒも同じ）は、３に限らず、２又は４以上であってもよい。
【００２４】
優先度の分類は、例えば、入力データが画像データである場合、画像データを低周波成分データ、高周波成分データ、及び、低周波成分データと高周波成分データの間の中間周波数データに周波数展開し、優先度Ａデータを低周波成分データとし、優先度Ｂデータを中間周波数データとし、優先度Ｃデータを高周波成分データとすることによって行う。このように優先度の分類を行うことによって、データ送信装置１１から送信された送信データに、伝送路においてエラーが発生して、優先度Ｃデータである高周波成分データが欠落したとしても、優先度Ａデータである低周波成分データと優先度Ｂデータである中間周波数データで画像を構成することによって、ある程度の画質の画像が得られる。
【００２５】
また、優先度の他の分類は、入力データが動画、例えば、ＭＰＥＧ（Ｍｏｖｉｎｇ  Ｐｉｃｔｕｒｅ  Ｅｘｐｅｒｔｓ  Ｇｒｏｕｐ）である場合は、優先度ＡデータをＩピクチャ（Ｉｎｔｒａ  Ｐｉｃｔｕｒｅ）のデータとし、優先度ＢデータをＰピクチャ（Ｐｒｅｄｉｃｔｉｖｅ  Ｐｉｃｔｕｒｅ）のデータとし、優先度ＣデータをＢピクチャ（Ｂｉｄｉｒｅｃｔｉｏｎａｌｌｙ  Ｐｒｅｄｉｃｔｉｖｅ  Ｐｉｃｔｕｒｅ）のデータとすることによって行う。このように優先度の分類を行うことによって、データ送信装置１１から送信された送信データに、伝送路においてエラーが発生して、優先度ＣデータであるＢピクチャが欠落したとしても、優先度ＡデータであるＩピクチャと優先度ＢデータであるＰピクチャで動画を構成することによって、ある程度の品質の動画が得られる。
【００２６】
《１−１−３》データ変調部１３
データ変調部１３は、優先度計算部１２によって生成された各優先度に分類されたデータ、すなわち、「データ＃（ｄ）優先度Ａデータ」、「データ＃（ｄ）優先度Ｂデータ」、及び「データ＃（ｄ）優先度Ｃデータ」に対して、伝送路符号化、一次変調、サブキャリアの信頼度の段階数Ｇｒを加味した二次変調を行い、さらに、伝送路送信に必要なアナログ処理等を行う。
【００２７】
図３は、図１のデータ変調部１３の構成を概略的に示すブロック図である。データ変調部１３は、伝送路符号化部１３１と、送信用セレクタ１３２と、一次変調部１３３と、優先度選択二次変調部１３４とを有する。なお、図３において、１３５は、優先度計算部１２からのデータを受け取るインタフェースを示す。
【００２８】
伝送路符号化部１３１は、実施の形態１に係るデータ送信装置１１及びデータ受信装置（後述の図１０の符号２１）の間で取り決めてＦＥＣ処理を行う場合に、その優先度分類を単位として伝送路符号化を行う。このＦＥＣ処理では、畳み込み符号化やリードソロモン等のブロック符号化、あるいは、その両方を行う。これらの符号化を行うと、符号化処理後のデータのデータ長は、冗長分Ｗ［ｂｉｔ］が付加される。そのため、「データ＃（ｄ）」を優先度分類することによって得られたデータである「データ＃（ｄ）優先度Ａデータ」、「データ＃（ｄ）優先度Ｂデータ」、及び「データ＃（ｄ）優先度Ｃデータ」の各々のデータ長は、図４（ａ）及び（ｂ）に示されるように、（Ｌ（ｄ）／Ｇ）＋Ｗ［ｂｉｔ］となる。なお、伝送路符号化を行わない場合は、送信用セレクタ１３２によって伝送路符号化部１３１を通らない経路が選択され、優先度計算部１２から出力されたデータは、一次変調部１３３へ入力される。これらＦＥＣ処理の有無（送信用セレクタ１３２の切り替え）、及び、伝送路符号化部１３１による伝送路符号化方法は、送信用ＣＰＵ１４により制御される。ただし、データ変調部１３は、伝送路符号化部１３１及び送信用セレクタ１３２を備えずに、優先度計算部１２の出力を一次変調部１３３に供給するように構成してもよい。
【００２９】
一次変調部１３３は、伝送路送信における一次変調にＰＳＫやＱＡＭなどを用いて、各優先度分類された「データ＃（ｄ）」にデジタル変調を施す。「データ＃（ｄ）」を優先度分類することによって得られたデータである「データ＃（ｄ）優先度Ａデータ」、「データ＃（ｄ）優先度Ｂデータ」、及び「データ＃（ｄ）優先度Ｃデータ」を一次変調した各データは、優先度選択二次変調部１３４に送出される。以下の説明では、一次変調されたデータをも、各優先度分類された「データ＃（ｄ）」と記す。また、優先度選択二次変調部１３４は、伝送路送信における二次変調にＯＦＤＭ変調を用いて、各サブキャリアに優先度分類することによって得られたデータである「データ＃（ｄ）優先度Ａデータ」、「データ＃（ｄ）優先度Ｂデータ」、及び「データ＃（ｄ）優先度Ｃデータ」を乗せる。
【００３０】
図５は、１ＯＦＤＭシンボルを構成するサブキャリアの信頼度情報の一例を示す図である。図５には、各サブキャリアが、信頼度の段階数Ｇｒ個の信頼度に分類されている状況を示す。図５の例では、信頼度の段階数Ｇｒは３であり、各サブキャリアに、信頼度Ａ、信頼度Ｂ、及び信頼度Ｃのいずれかが割り当てられている。なお、信頼度Ａが割り当てられたサブキャリアを「信頼度Ａサブキャリア」と記述し、信頼度Ｂが割り当てられたサブキャリアを「信頼度Ｂサブキャリア」と記述し、及び信頼度Ｃが割り当てられたサブキャリアを「信頼度Ｃサブキャリア」と記述する。また、サブキャリアの信頼度の順位は、伝送路でエラーが発生する確率が低いものから高い方に向かって、信頼度Ａサブキャリア、信頼度Ｂサブキャリア、及び信頼度Ｃサブキャリアである。ここで、信頼度の順番は、高いほうから低い方に向かって、信頼度Ａサブキャリア、信頼度Ｂサブキャリア、信頼度Ｃサブキャリアの順である。なお、信頼度の段階数Ｇｒは、３に限らず、２又は４以上であってもよい。
【００３１】
図５において、１ＯＦＤＭシンボルには、ＣＮ個のサブキャリアが存在する。１ＯＦＤＭシンボル内のサブキャリアの各々には、１から昇順にＣＮまで番号が付与される。番号が付与されたサブキャリアを、「サブキャリア＃（番号）」で表記する。図５の例では、サブキャリア＃（１）からサブキャリア＃（ｉ）までのサブキャリアは、信頼度Ａサブキャリアである。続いて、サブキャリア＃（ｉ＋１）からサブキャリア＃（ｊ）までのサブキャリアは、信頼度Ｃサブキャリアである。さらに、サブキャリア＃（ｊ＋１）からサブキャリア＃（ｋ）までのサブキャリアは、信頼度Ｂサブキャリアである。そして、サブキャリア＃（ｋ＋１）からサブキャリア＃（ｍ）までのサブキャリアは、信頼度Ａサブキャリアである。最後に、サブキャリア＃（ｍ＋１）からサブキャリア＃（ＣＮ）までのサブキャリアは、信頼度Ｃサブキャリアである。１、ｉ、ｊ、ｋ、ｍ、及びＣＮのそれぞれは、整数であり、次式（１）を満たす。
１＜ｉ＜ｊ＜ｋ＜ｍ＜ＣＮ                                （１）
【００３２】
また、１ＯＦＤＭシンボルにおいて、信頼度Ａサブキャリアの個数をＡＣＮと表記し、信頼度Ｂサブキャリアの個数をＢＣＮと表記し、信頼度Ｃサブキャリアの個数をＣＣＮと表記すると、各個数は、次式（２）〜（５）で表記できる。
ＣＮ＝ＡＣＮ＋ＢＣＮ＋ＣＣＮ                            （２）
ＡＣＮ＝ｉ＋（ｍ−ｋ）                                  （３）
ＢＣＮ＝ｋ−ｊ                                          （４）
ＣＣＮ＝（ｊ−ｉ）＋（ＣＮ−ｍ）                        （５）
【００３３】
前記サブキャリアの信頼度情報は、優先度選択二次変調部１３４に、送信用ＣＰＵ１４より入力される。また、送信用ＣＰＵ１４もサブキャリアの信頼度情報は、データ送信装置１１の外部より与えられる。
【００３４】
ところで、１ＯＦＤＭシンボルにおいて伝送できるデータ量（ビット数）は、すべてのサブキャリアに乗せるデータが同一の一次変調が施されているとし、１個のサブキャリアに乗せるデータのビット数をＱ［ｂｉｔ］とすると、ＣＮ×Ｑ［ｂｉｔ］となる。一次変調がＢＰＳＫ（Ｂｉｎａｒｙ  Ｐｈａｓｅ  Ｓｈｉｆｔ  Ｋｅｙｉｎｇ）であれば、Ｑ＝１であり、一次変調がＱＰＳＫ（ｑｕａｄｒａｔｕｒｅ  ｐｈａｓｅ  ｓｈｉｆｔ  ｋｅｙｉｎｇ）であれば、Ｑ＝２であり、一次変調が１６ＱＡＭであれば、Ｑ＝４であり、一次変調が６４ＱＡＭであれば、Ｑ＝６である。また、他のＰＳＫ変調及び他のＱＡＭ変調の場合にも、それぞれの変調方式に応じてビット数Ｑが決まる。１ＯＦＤＭシンボルに乗せることができるデータ数ＤＮは、伝送路符号化がなされない場合は、次式（６）
ＤＮ＝（ＣＮ×Ｑ）／（（Ｌ（ｄ）／Ｇ）×Ｇ）              （６）
となり、伝送路符号化がなされる場合は、次式（７）
ＤＮ＝（ＣＮ×Ｑ）／（（Ｌ（ｄ）／Ｇ＋Ｗ）×Ｇ）          （７）
となる。ここで、データ数ＤＮは、割り切れて整数となるように、ＣＮ、Ｑ、Ｌ（ｄ）、Ｇ、Ｗは、設定する場合を説明する。データ数ＤＮが整数にならない場合については、後述する。従って、１ＯＦＤＭシンボルに乗せることができるデータは、「データ＃（ｄ）」、「データ＃（ｄ＋１）」、…、「データ＃（ｄ＋ＤＮ−１）」のＤＮ個となる。
【００３５】
図６は、１ＯＦＤＭシンボルを構成するサブキャリアに、優先度分類されたデータを乗せる処理を概念的に示す図である。優先度選択二次変調部１３４は、ＤＮ個の優先度分類されたデータである「データ＃（ｄ）」、「データ＃（ｄ＋１）」、…、「データ＃（ｄ＋ＤＮ−１）」を、信頼度分類されたＯＦＤＭシンボルの各サブキャリアに乗せる処理を行う。図６は、１ＯＦＤＭシンボルの一部が１個以上のサブキャリアによって信頼度Ａサブキャリア、信頼度Ｂサブキャリア、信頼度Ｃサブキャリアに分類されている状況を示す。このとき、「データ＃（ｄ）優先度Ａデータ」を、信頼度Ａサブキャリアにサブキャリア番号の小さいものから順番になるように乗せる。このとき、図５の例のように信頼度Ａサブキャリアの範囲がサブキャリア＃（ｉ）からサブキャリア＃（ｋ＋１）に飛んだ場合は、サブキャリア＃（ｋ＋１）以降のサブキャリアにデータを乗せるようにする。同様に、「データ＃（ｄ）優先度Ｂデータ」は、信頼度Ｂサブキャリアに乗せ、「データ＃（ｄ）優先度Ｃデータ」は、信頼度Ｃサブキャリアに乗せる。
【００３６】
「データ＃（ｄ＋１）」は、「データ＃（ｄ）」をサブキャリアに配置し終わった後、「データ＃（ｄ）」に続く各信頼度の範囲に「データ＃（ｄ）」と同様に乗せる。以下、データ＃（ｄ＋ＤＮ−１）までこの操作を続けると、各優先度分類された「データ＃（ｄ）」、「データ＃（ｄ＋１）」、…、「データ＃（ｄ＋ＤＮ−１）」と、１ＯＦＤＭシンボルの各サブキャリアの信頼度分類されたものが結合される。
【００３７】
なお、１ＯＦＤＭシンボルにおける、信頼度Ａサブキャリアの数をＡＣＮとし、信頼度Ｂサブキャリアの数をＢＣＮとし、信頼度Ｃサブキャリアの数をＣＣＮとしたときに、
ＡＣＮ＝ＢＣＮ＝ＣＣＮ                                    （８）
であれば、各優先度分類されたデータは、すべて同等の信頼度のサブキャリアに乗せることができるので、
式（８）を満たすように信頼度情報を構成することが好ましい。
ただし、ＡＣＮ，ＢＣＮ，ＣＣＮは必ずしも等しい必要はなく、例えば、
ＡＣＮ＜（ＤＮ／３）                                      （９）
であれば、信頼度Ａサブキャリアが途中で足りなくなるので、乗せられなくなった優先度Ａデータは、信頼度Ｂサブキャリアに乗せ、逆に、
ＡＣＮ＞（ＤＮ／３）                                      （１０）
であれば、信頼度Ａサブキャリアが余るので、優先度Ｂデータを信頼度Ａサブキャリアに乗せるという処理を行ってもよい。このような処理方法は、他の優先度及び他の信頼度においても同様に適用できる。
【００３８】
以上のようして、優先度選択二次変調部１３４で二次変調がなされた伝送信号は、データ変調部１３内でアナログ変調処理を受けて、伝送路へ送出される。
【００３９】
上記までは、１ＯＦＤＭシンボルに乗せる「データ＃（ｄ）」のデータ長Ｌ（ｄ）が、ｄによって変化せずＬ（ｄ）が固定であり、優先度の段階数Ｇで割り切れる場合を説明した。また、１ＯＦＤＭシンボルにデータがＤＮ個端数なく乗せることができるものとして説明した。次に、データ長Ｌ（ｄ）がｄにより異なる場合、データ長Ｌ（ｄ）が優先度の段階数Ｇで割り切れない場合、１ＯＦＤＭシンボルにデータがＤＮ個端数なく乗せることができない場合について説明する。
【００４０】
図７（ａ）及び（ｂ）は、実施の形態１に係るデータ送信装置１１に入力される送信データの構造（入力データの長さが一定ではない場合）及び複数段階の優先度のデータに分類されたデータの構造を概念的に示す図である。「データ＃（ｄ）」のデータ長Ｌ（ｄ）がｄにより異なる場合は（ただし、Ｌ（ｄ）は優先度の段階数Ｇで割り切れるとし、１ＯＦＤＭシンボルにデータがＤＮ個端数なく乗せることができるものとする）、送信データに「データ＃（ｄ）」の長さ情報（Ｌ（ｄ）の値）を含める必要がある。このため、図７（ａ）及び（ｂ）に示されるように、データフォーマットを作成する。優先度計算部１２は、「データ＃（ｄ）」をそれぞれ優先度Ａデータ、優先度Ｂデータ、優先度Ｃデータに分類する際、さらにＬ（ｄ）の値を優先度Ａデータよりも前のデータ位置、すなわちＯＦＤＭシンボルとして各サブキャリアに乗せる際、サブキャリア番号の小さいサブキャリアに乗る位置に、ｌｅｎＬ（ｄ）［ｂｉｔ］を使用して配置する。データ変調部１３は、Ｌ（ｄ）の値を信頼度Ａサブキャリアに乗せるように制御する。このようにすることで、受信側では、長さ情報Ｌ（ｄ）を利用して「データ＃（ｄ）」の区切りを判断することができる。なお、データフォーマットとして、「データ＃（ｄ）」にｌｅｎＬ（ｄ）［ｂｉｔ］が増えることとなるので、そのことを考慮した上で、データ数ＤＮを決定する。さらに、Ｌ（ｄ）は、信頼度Ａサブキャリアに乗せることとなるので、データの優先度分類とサブキャリアの信頼度分類をすべて同等にする場合は、各信頼度のサブキャリア数を調整する必要がある。なお、上記のようなデータ長Ｌ（ｄ）がｄにより異なることを許可し処理を行うか否かは、データ送信装置１１及びデータ受信装置２１の間で取り決めておき、送信用ＣＰＵ１４により各ブロック１３１〜１３４に通知する。
【００４１】
「データ＃（ｄ）」のデータ長Ｌ（ｄ）が優先度の段階数Ｇで割り切れない場合は（ただし、Ｌ（ｄ）はｄにより異ならないとし、１ＯＦＤＭシンボルにデータがＤＮ個端数なく乗せることができるものとする）、送信データに「データ＃（ｄ）」の余り情報（Ｌ（ｄ）／Ｇの余りの値、Ｒ（ｄ）と記す）を含める必要がある。図８（ａ）及び（ｂ）にこのときのデータフォーマットを示す。優先度計算部１２は、「データ＃（ｄ）」をデータ長がそれぞれ
（Ｌ（ｄ）−Ｒ（ｄ））／Ｇ［ｂｉｔ］
の優先度Ａデータ、優先度Ｂデータ、及び優先度Ｃデータに分類する。そして、Ｒ（ｄ）のビット数を追加して、いずれかの優先度に含めるようにする（図８（ａ）及び（ｂ）では、優先度Ａデータに含めている例を示す）。さらに、Ｒ（ｄ）の値を優先度Ａデータよりも前のデータ位置、すなわち、ＯＦＤＭシンボルとして各サブキャリアに乗せる際、サブキャリア番号の小さいサブキャリアに乗る位置に、Ｒ（ｄ）のデータ長を示すｌｅｎＲ（ｄ）［ｂｉｔ］を使用して配置する。データ変調部１３は、Ｒ（ｄ）の値を信頼度Ａサブキャリアに乗せるように制御する。このようにすることで、受信側では、余り情報Ｒ（ｄ）を利用して「データ＃（ｄ）」の区切りを判断することができる（詳細後述）。なお、データフォーマットとして、「データ＃（ｄ）」にｌｅｎＲ（ｄ）［ｂｉｔ］が増えることになるのと、優先度Ａデータが残るほかの優先度のデータよりもＲ（ｄ）［ｂｉｔ］追加で含まれるので、それらのことを考慮した上で、データ数ＤＮを決定する。さらにＲ（ｄ）は、信頼度Ａサブキャリアに乗せることとなるのと、優先度Ａデータが残るほかの優先度のデータよりもＲ（ｄ）［ｂｉｔ］追加で含まれるので、データの優先度分類とサブキャリアの信頼度分類をすべて同等にする場合は、各信頼度のサブキャリア数を調整する必要がある。なお、上記のようなデータ長Ｒ（ｄ）がｄにより異なることを許可し処理を行うか否か、及びどの信頼度に余り分を含めるかは、データ送信装置及びデータ受信装置の間で取り決めて、送信用ＣＰＵ１４により各ブロック１３１〜１３４に通知する。
【００４２】
１ＯＦＤＭシンボルに、ＤＮ個のデータを、端数が出ないよう、乗せることができない場合は（ただし、Ｌ（ｄ）はｄにより異ならないとし、優先度の段階数Ｇで割り切れるとする）、ＯＦＤＭシンボル間で端数情報を送信信号に含める必要がある。図９に、この端数情報を乗せたときのＯＦＤＭシンボルの構成を示す。１ＯＦＤＭシンボルに乗せることができるデータ数は、ＤＮ個を基本とする。ただし、ＤＮ個のデータを乗せたとき、ＯＦＤＭシンボル＃（ｓ）（ｓは、ＯＦＤＭシンボル番号とし、送信順に昇順に付与されるとする）の各信頼度のサブキャリア数に余りがある場合は、データ変調部１３は、（ＤＮ＋１）個目のデータを途中まで乗せるように制御し、ＯＦＤＭシンボル＃（ｓ＋１）に、ＯＦＤＭシンボル＃（ｓ）の端数情報、すなわち、ＯＦＤＭシンボル＃（ｓ）の（ＤＮ＋１）個目のデータの残りが何サブキャリア分ＯＦＤＭシンボル＃（ｓ＋１）で使用するかの情報を、ＯＦＤＭシンボル＃（ｓ＋１）の先頭の信頼度Ａサブキャリアに配置する。そして、ＯＦＤＭシンボル＃（ｓ＋１）にＯＦＤＭシンボル＃（ｓ）の（ＤＮ＋１）個目のデータの残りをサブキャリア番号が小さい位置に配置するように制御し、そのオフセットをとった位置から、本来のＯＦＤＭシンボル＃（ｓ＋１）のデータを乗せるようにする。現シンボルは、常に前シンボルの端数情報を信頼度Ａサブキャリアに乗せることとなるので、データの優先度分類とサブキャリアの信頼度分類をすべて同等にする場合は、各信頼度のサブキャリア数を調整する必要がある。なお、上記のような１ＯＦＤＭシンボルに、ＤＮ個のデータが、端数が出ないように、乗せることができないことを許可し処理を行うか否かは、データ送信装置及びデータ受信装置の間で取り決めて、送信用ＣＰＵ１４により各ブロック１３１〜１３４に通知する。
【００４３】
《１−２》データ受信装置２１
図１０は、本発明の実施の形態１に係るデータ受信装置２１の構成を概略的に示すブロック図である。図１０に示されるように、データ受信装置２１は、データ復調部２２と、データ統合部２３と、受信用ＣＰＵ２４とを有する。なお、図１０において、２５は、伝送路入力インタフェースを示し、２６は、受信データ出力インタフェースを示し、２７は、信頼度情報などを受け取るためのインタフェースである。
【００４４】
データ復調部２２は、データ送信装置１１より送出され、伝送路を介してデータ受信装置２１に受信されたデータに対し、受信に必要なアナログ処理等を行った後、二次変調及び一次変調の復調、「データ＃（ｄ）」ごとの優先度分類とサブキャリアの信頼度分類の関係から「データ＃（ｄ）」を生成、伝送路復号をする。なお、送信側の「データ＃（ｄ）」の受信側に相当するデータを「受信データ＃（ｄ）」と記す。
【００４５】
図１１は、図１０に示されるデータ復調部の構成を概略的に示すブロック図である。図１１に示されるように、データ復調部２２は、二次変調復調部２２１と、一次変調復調部２２２と、データ結合部２２３と、伝送路符号化復号部２２４と、受信用セレクタ２２５とを有する。なお、図１１において、２５は、伝送路入力インタフェース２５を示す、２２６は、データ統合部２３のインタフェースを示す。また、データ復調部２２は、アナログ信号をデジタル信号に変換するなどの処理を行うアナログ復調部を有してもよい。また、データ復調部２２から、伝送路符号化復号部２２４及び復調部セレクタ２２５を除いた構成とすることもできる。
【００４６】
二次変調復調部２２１は、ＯＦＤＭシンボルからサブキャリアデータを復調する。サブキャリアデータは、送信側と同様にサブキャリア番号で順番を管理し、ＯＦＤＭシンボルごとにＣＮ個ある。伝送路によっては、周波数選択性フェージング等が発生することで、各サブキャリアは、受信電力が異なることがある。二次変調復調部２２１は、各サブキャリア番号と受信電力を検出し、後段へ出力する。
【００４７】
一次変調復調部２２２は、各サブキャリアに施された一次変調をサブキャリア番号の昇順に解く。サブキャリア番号の昇順なので、「受信データ＃（ｄ）」ごとの優先度分類とサブキャリアの信頼度分類の関係は考慮されておらず、「受信データ＃（ｄ）」の並びに戻す必要がある（並びを元に戻す前のデータを、「優先度並び替え前の受信データ」と記す）。
【００４８】
データ結合部２２３は、優先度並び替え前の受信データから「受信データ＃（ｄ）」の優先度分類ごとに集約して結合する処理を行う。データ送信装置にて説明した「データ＃（ｄ）」のフォーマットのうち、送信データのデータ長Ｌ（ｄ）は、優先度の段階数Ｇで割り切れる値として設定されているものとし、また、データ長Ｌ（ｄ）は、すべてのｄにおいて等しいとする（図２に示すフォーマット）。さらに、１ＯＦＤＭシンボルには、「データ＃（ｄ）」をＤＮ個、端数無く乗せられているものとする。
【００４９】
データ結合部２２３には、送信側で使用されたサブキャリアの信頼度情報と同等のものを受信用ＣＰＵ２４より入力される。データ結合部２２３は、この情報をもとに、１ＯＦＤＭシンボルの信頼度Ａサブキャリアを昇順に配置（信頼度Ａサブキャリアではないサブキャリアの番号は、飛ばして配置）して、「受信データ＃（ｄ）優先度Ａデータ」をＬ（ｄ）／Ｇ［ｂｉｔ］、昇順に取得する。同様に、「受信データ＃（ｄ）優先度Ｂデータ」、「受信データ＃（ｄ）優先度Ｃデータ」をもＬ（ｄ）／Ｇ［ｂｉｔ］、昇順に取得する。以降、「受信データ＃（ｄ＋ＤＮ−１）」まで、昇順に取得し、それぞれのデータごとに結合すると、各優先度分類された「受信データ＃（ｄ）」、「受信データ＃（ｄ＋１）」、…、「受信データ＃（ｄ＋ＤＮ−１）」が取得できる。なお、１ＯＦＤＭシンボルの各信頼度のサブキャリア数が
ＡＣＮ＝ＢＣＮ＝ＣＣＮ
でなければ、途中のデータからは、データの優先度の分類とサブキャリアの信頼度の分類が一致しなくなるが、一致しなくなる位置であっても、隣接する優先度（優先度Ａデータと優先度Ｂデータ、あるいは、優先度Ｂデータと優先度Ｃデータ）と隣接するサブキャリア信頼度（信頼度Ａサブキャリアと信頼度Ｂサブキャリア、あるいは、信頼度Ｂサブキャリアと信頼度Ｃサブキャリア）に跨がって、昇順に行うことによって、受信データを取得することができる。
【００５０】
また、データ結合部２２３は、前記サブキャリアからｂｉｔを取得した際、二次変調復調部２２１が生成するそのサブキャリアの受信電力の情報をｂｉｔに対応させて後段に出力させてもよい。
【００５１】
「データ＃（ｄ）」のデータ長Ｌ（ｄ）がｄにより異なるフォーマットの場合は（送信側の図７（ａ）及び（ｂ）に示すフォーマットの場合）、「受信データ＃（ｄ）」の長さ情報が信頼度Ａサブキャリアに配置されているので、その長さ情報Ｌ（ｄ）を取得することで各サブキャリアに乗せられている「受信データ＃（ｄ）」の区切りを判断する。すなわち、各信頼度のサブキャリアは、Ｌ（ｄ）／Ｇ［ｂｉｔ］（データごとに値が変わる）昇順に取得する（ただし、信頼度Ａサブキャリアは、長さ情報が乗せられているｌｅｎＬ（ｄ）［ｂｉｔ］を考慮する）ことで、「受信データ＃（ｄ）」から「受信データ＃（ｄ＋ＤＮ−１）」まで優先度分類されたデータが取得できる。なお、データフォーマットが当該フォーマットであるかどうかは、受信用ＣＰＵ２４より通知する。
【００５２】
「データ＃（ｄ）」のデータ長Ｌ（ｄ）が信頼度の段階数Ｇｒ（優先度の段階数Ｇ）で割り切れないフォーマットの場合（送信側の図８（ａ）及び（ｂ）に示すフォーマットの場合）は、「受信データ＃（ｄ）」の余り情報が信頼度Ａサブキャリアに配置されているので、その余り情報Ｒ（ｄ）を取得することで各サブキャリアに乗せられている「受信データ＃（ｄ）」の区切りを判断する。すなわち、余り分を含む信頼度のサブキャリアは、
（Ｌ（ｄ）−Ｒ（ｄ））／Ｇ＋Ｒ（ｄ）［ｂｉｔ］ずつ、昇順に取得し、
余り分を含まない信頼度のサブキャリアは、
（Ｌ（ｄ）−Ｒ（ｄ））／Ｇ［ｂｉｔ］ずつ、昇順に取得する。
ただし、信頼度Ａサブキャリアは、長さ情報が乗せられているｌｅｎＲ（ｄ）［ｂｉｔ］を考慮する。このようにすることで、「受信データ＃（ｄ）」から「受信データ＃（ｄ＋ＤＮ−１）」まで優先度分類されたデータが取得できる。なお、データフォーマットが当該フォーマットであるかどうか、及び、どの信頼度に余り分が含まれているかは、受信用ＣＰＵ２４より通知する。
【００５３】
１ＯＦＤＭシンボルにデータがＤＮ個端数なく乗せることができない場合（送信側の図９に示すフォーマットの場合）、前ＯＦＤＭシンボルの端数情報が現ＯＦＤＭシンボルの信頼度Ａサブキャリアの先頭に乗せられているので、その端数情報を取得することで現ＯＦＤＭシンボルの先頭の「受信データ＃（ｄ）」の各優先度のデータが位置するサブキャリア番号を判断する。また、現ＯＦＤＭシンボルの「受信データ＃（ｄ＋ＤＮ−１）」は、次ＯＦＤＭシンボルにまたがることがあるので、そのまたがった一部のデータも結合して、「受信データ＃（ｄ）」から「受信データ＃（ｄ＋ＤＮ−１）」まで優先度分類されたデータを取得する。なお、データフォーマットが当該フォーマットであるかどうかは、受信用ＣＰＵ２４より通知する。
【００５４】
以上の手順によってデータ結合部２２３で優先度分類された「受信データ＃（ｄ）」は、送信側にてＦＥＣ処理が行われている場合は、その優先度分類を単位として伝送路符号化復号部２２４にて復号処理を行う。送信側でＦＥＣ処理が行われていない場合は、受信用セレクタ２２５によって伝送路符号化復号部２２４を通らない経路が選択される。この先「受信データ＃（ｄ）」（復号処理されたものも同様）は、データ統合部２３との間のインタフェース２２６を通して出力される。これらＦＥＣ処理の有無（受信用セレクタ２２５の切り替え）、伝送路符号化方法は、受信用ＣＰＵ２４より制御される。なお、インタフェース２２６を通して出力されるデータには、データ結合部２２３にてｂｉｔに対応させた受信電力の情報も含む。
【００５５】
データ統合部２３は、データ復調部２２より入力される優先度分類された「受信データ＃（ｄ）」と、それに対応した受信電力の情報より、最終的な「受信データ＃（ｄ）」を生成する。送信用ＣＰＵ１４及び受信用ＣＰＵ２４には、外部より、サブキャリアの信頼度情報として同じものが設定されるが、この信頼度情報は、予め伝送路での周波数選択性フェージング等による、データの欠落が起きやすいサブキャリアと起きにくいサブキャリアを信頼度の段階数Ｇｒの段階で振り分けて設定するものである。データの欠落が起きやすいサブキャリア、Ｇ＝３であれば信頼度Ｃサブキャリアに優先度Ｃデータを割り当てることで、優先度Ａデータが信頼度Ａサブキャリアによりデータの欠落確率が低く伝送できる。また、優先度分類された「受信データ＃（ｄ）」の受信電力は、優先度Ａデータよりも優先度Ｃデータのほうが低くなりやすい。データ統合部２３は、一定の受信電力以下（受信用ＣＰＵ２４にて閾値を設定）のデータを誤りが含まれるものとして受信データの生成に使用しないとすれば、使用しないデータは、受信データが画像の場合、優先度Ｃデータの高周波成分データが欠落しても、優先度Ａデータの低周波成分データと優先度Ｂデータの中間周波数データで画像を構成することで、ある程度の画質の画像が得られることとなる。信頼度Ｃサブキャリアにおいても受信電力が閾値以下にならなければ、受信データの生成に使用することができるので高い品質の画像が得られる。
【００５６】
《１−３》実施の形態１の効果
以上に説明したように、実施の形態１に係るデータ送信装置１１及びデータ受信装置２１を用いれば、重要度（優先度）の高いデータをエラー耐性を強固にするために伝送レートを低くすることなく、伝送路状況が良い場合は、伝送レートを高く、伝送路状況が悪い場合でも品質の劣化を抑えてデータ伝送できる。
【００５７】
《２》実施の形態２．
《２−１》データ送受信装置の構成及び動作
図１２は、本発明の実施の形態２に係る１対のデータ送受信装置を含むデータ送受信システムの構成を概略的に示すブロック図である。実施の形態２に係るデータ送受信装置３１は、実施の形態１におけるデータ送信装置１１と、実施の形態１におけるデータ受信装置２１と、これらを制御する送受信用ＣＰＵ３２とを有する。図１２の例では、送受信用ＣＰＵ３２は、データ送受信装置３１がマスターのデータ送受信装置として動作するよう制御する。一方、通信先であるデータ送受信装置４１は、データ送受信装置３１と同様に、実施の形態１におけるデータ送信装置１１と、実施の形態１におけるデータ受信装置２１と、これらを制御する送受信用ＣＰＵ４２とを有する。図１２の例では、送受信用ＣＰＵ４２は、データ送受信装置４１がスレーブとして動作するよう制御する。
【００５８】
マスターのデータ送受信装置３１の送受信用ＣＰＵ３２は、自装置であるデータ送受信装置３１内のデータ受信装置２１及びデータ送信装置１１に、同じサブキャリアの信頼度情報を与えるとともに、データ受信装置２１から現在受信しているＯＦＤＭシンボルの各サブキャリアの受信電力情報を収集する。送受信用ＣＰＵ３２は、各サブキャリアの受信電力状況が、現在のサブキャリアの信頼度情報と一定以上乖離した場合、サブキャリアの信頼度情報の更新情報を生成し、自装置内のデータ送信装置１１を制御し、スレーブのデータ送受信装置４１に通知する。ここで、一定以上とは、例えば、信頼度Ａサブキャリアの受信電力が受信電力閾値ｐを一定値以上下回り、受信電力が受信電力閾値ｐ以下となった期間が期間閾値ｑを超えて継続し、受信電力閾値ｐ以下となる期間が期間閾値ｑを超えるサブキャリアの数がサブキャリア個数閾値ｒを超えたときである。マスターのデータ送受信装置３１からスレーブのデータ送受信装置４１への制御情報の伝送は、更新前の信頼度情報の高いサブキャリアに乗せて送信する。
【００５９】
スレーブのデータ送受信装置４１の送受信用ＣＰＵ４２は、自装置内のデータ受信装置２１を経て、マスターのデータ送受信装置３１からのサブキャリアの信頼度情報の更新を受信すると、更新完了情報を生成し、自装置内のデータ送信装置１１を制御し、マスターのデータ送受信装置３１に通知する。その後から、送受信用ＣＰＵ４２は、自装置内のデータ受信装置２１及びデータ送信装置１１に、サブキャリアの信頼度情報を更新して与える。スレーブのデータ送受信装置４１からマスターのデータ送受信装置３１への制御情報の伝送は、更新前の信頼度情報の高いサブキャリアに乗せて送信する。
【００６０】
マスターのデータ送受信装置３１の送受信用ＣＰＵ３２は、自装置内のデータ受信装置２１を経て、スレーブのデータ送受信装置４１よりサブキャリアの信頼度情報の更新完了情報を受信すると、自装置内のデータ送受信装置３１のデータ受信装置２１及びデータ送信装置１１に、スレーブのデータ送受信装置４１に通知したものと同等のサブキャリアの信頼度情報を更新して与える。
【００６１】
《２−２》実施の形態２の効果
以上に説明したように、実施の形態２に係るデータ送受信装置３１，４１を用いれば、サブキャリアの信頼度情報を伝送路状況の変化に応じて追随させることができるので、何らかの原因でデータ送受信装置３１，４１間が保有する信頼度情報に齟齬が生じた場合であっても、通信品質の悪化を防ぐことができる。
【００６２】
《３》産業上の利用可能性
本発明に係る装置及びシステムは、携帯通信端末、通信機能を持つパーソナルコンピュータなどに適用可能である。
【符号の説明】
【００６３】
１１  データ送信装置、  １２  優先度計算部（データ分類部）、  １３  データ変調部、  １４  送信用ＣＰＵ（送信用制御部）、  １３１  伝送路符号化部、  １３２  送信用セレクタ、  １３３  一次変調部、  １３４  優先度選択二次変調部（二次変調部）、  １３５，１３６  インタフェース、  ２１  データ受信装置、  ２２  データ復調部、  ２３  データ統合部、  ２４  受信用ＣＰＵ（受信用制御部）、  ２５，２６  インタフェース、  ２２１  二次変調復調部、  ２２２  一次変調復調部、  ２２３  データ結合部、  ２２４  伝送路符号化復号部、  ２２５  受信用セレクタ、  ２２６  インタフェース、  ３１  データ送受信装置、  ３２  送受信用ＣＰＵ（送受信用制御部）、  ４１  データ送受信装置、  ４２  送受信用ＣＰＵ（送受信用制御部）。
【図１】
2013128236.tif 000003
【図２】
2013128236.tif 000004
【図３】
2013128236.tif 000005
【図４】
2013128236.tif 000006
【図５】
2013128236.tif 000007
【図６】
2013128236.tif 000008
【図７】
2013128236.tif 000009
【図８】
2013128236.tif 000010
【図９】
2013128236.tif 000011
【図１０】
2013128236.tif 000012
【図１１】
2013128236.tif 000013
【図１２】
2013128236.tif 000014